(57)【要約】【課題】設置面に沿うワイヤハーネスを設置面上に支持して配索するための作業を容易に行えるようにする。【解決手段】ワイヤハーネスの支持具６は、設置面に対し接着によって取り付けられる取付部７と、取付部７から設置面側とは逆の方向に突出する突出部８と、を備える。突出部８には孔９が形成される。支持具６は、突出部８における上記孔９からずれた位置に設けられてワイヤハーネス３が固定される固定部１０も備える。固定部１０には、ワイヤハーネス３を同固定部１０に固定するためのバンド１１が一体に形成される。支持具６を設置面に取り付ける際に用いられる治具１２は支持具６の外形に対応した凹部１３を有しており、凹部１３の底面には支持具６における突出部８の上記孔９に挿入される突部１４が形成される。そして、ワイヤハーネス３を固定部１０に固定した状態で、治具１２を用いて支持具６が設置面に対し取り付けられる。【選択図】図４
2018102083.tif 000002
【特許請求の範囲】
【請求項１】
ワイヤハーネスを設置面に沿った状態で同設置面上に支持するためのワイヤハーネスの支持具であって、
前記設置面に対し取り付けられる取付部と、
前記取付部から前記設置面側と逆の方向に突出する突出部と、
前記突出部に設けられて前記設置面に対し前記取付部を取り付けるための治具と係合することが可能な係合部と、
前記突出部における前記係合部からずれた位置に設けられて前記ワイヤハーネスが固定される固定部と、
を備えることを特徴とするワイヤハーネスの支持具。
【請求項２】
前記固定部は、前記ワイヤハーネスを同固定部に固定するためのバンドが一体に形成されている請求項１に記載のワイヤハーネスの支持具。
【請求項３】
前記取付部は、前記設置面に対し接着によって取り付けられるよう構成されている請求項１又は２に記載のワイヤハーネスの支持具。
【請求項４】
前記係合部は、前記設置面に対し前記取付部が取り付けられた状態のもと、ワイヤハーネスを前記突出部に固定するための固定部材を取り付けることが可能となるように構成されている請求項１〜３のいずれか一項に記載のワイヤハーネスの支持具。
【発明の詳細な説明】
【技術分野】
【０００１】
本発明は、ワイヤハーネスの支持具に関する。
【背景技術】
【０００２】
ワイヤハーネスの支持具として、例えば特許文献１に示されるように、車両における車体パネルと内装材との間のワイヤハーネスを支持するものが知られている。この支持具は、車体パネルと内装材との対向面間に設けられており、内装材に固定される第１取付部を備えている。また、支持具は、上記第１取付部から車体パネル側に突出して同車体パネルに取り付けられる第２取付部、及び、上記第１取付部に設けられてワイヤハーネスが固定される固定部も備えている。
【０００３】
また、上述した一対の対向面間以外の箇所、例えばバンパーの裏面を設置面として同設置面に沿うようにワイヤハーネスを設ける場合もあり、この場合には図７に示すような支持具６１を用いてワイヤハーネスを上記設置面上に支持することが考えられる。この支持具６１は、設置面に対し接着等によって取り付けられる取付部６２と、その取付部６２から上記設置面側とは逆の方向に突出する突出部６３と、を備えている。また、突出部６３には孔６４が形成されている。更に、上記支持具６１は、図８及び図９に示すように、ワイヤハーネス６５を固定するための固定部材６６を備えている。この固定部材６６は、支持具６１における突出部６３の孔６４（図７）に差し込んで同突出部６３に取り付けることが可能となっている。
【０００４】
上記支持具６１をバンパーの裏面といった取り付けにくい設置面に取り付ける場合、その際に図７に示すような取り付け用の治具６７が用いられる。この治具６７は、支持具６１の外形に対応した凹部６８を有している。更に、凹部６８の底面には、その凹部６８に支持具６１の突出部６３を挿入したとき、同突出部６３の孔６４に挿入される突部６９が形成されている。なお、支持具６１の上記孔６４は、支持具６１の突出部６３を治具６７の凹部６８に挿入したとき、治具６７と係合する係合部として機能する。
【０００５】
そして、治具６７の凹部６８に支持具６１の突出部６３を挿入するとともに同突出部６３の孔６４に治具６７の突部６９を挿入して係合させた状態のもと、治具６７を持って支持具６１の取付部６２を設置面に接着することにより同支持具６１が設置面に取り付けられる。その後、設置面に取り付けられた支持具６１から治具６７を離脱させて突出部６３の孔６４から治具６７の突部６９を抜き出し、上記孔６４にワイヤハーネス６５を固定した状態の固定部材６６が差し込まれて取り付けられる。これにより、ワイヤハーネス６５がバンパーの裏面といった設置面上に支持具６１によって支持される。
【先行技術文献】
【特許文献】
【０００６】
【特許文献１】特開２０１０−８１７６０号公報
【発明の概要】
【発明が解決しようとする課題】
【０００７】
上記支持具６１においては、支持具６１の突出部６３から固定部材６６を分離した状態でないと、その突出部６３を治具６７の凹部６８に挿入することができない。このため、治具６７で上記支持具６１を設置面に対し取り付けた後、ワイヤハーネス６５が固定された固定部材６６を上記支持具６１における突出部６３の孔６４に差し込んで取り付けなければならない。従って、治具６７を用いることによって設置面に対し支持具６１を容易に取り付けることはできるものの、ワイヤハーネス６５が固定された固定部材６６を上記設置面に取り付けられた支持具６１の突出部６３に対し取り付けることが困難になる。その結果、バンパーの裏面等の設置面に沿うワイヤハーネス６５を設置面上に支持して配索するための作業を行うことが難しくなる。
【０００８】
本発明の目的は、設置面に沿うワイヤハーネスを設置面上に支持して配索するための作業を容易に行うことができるワイヤハーネスの支持具を提供することにある。
【課題を解決するための手段】
【０００９】
以下、上記課題を解決するための手段及びその作用効果について記載する。
上記課題を解決するためのワイヤハーネスの支持具は、ワイヤハーネスを設置面に沿った状態で同設置面上に支持するためのものである。この支持具は、設置面に対し取り付けられる取付部と、その取付部から設置面側と逆の方向に突出する突出部と、その突出部に設けられて設置面に対し取付部を取り付けるための治具と係合することが可能な係合部と、上記突出部における前記係合部からずれた位置に設けられてワイヤハーネスが固定される固定部と、を備える。
【００１０】
上記構成によれば、支持具の突出部に設けられた固定部にワイヤハーネスを固定した状態で、突出部における上記固定部からずれた位置にある係合部を治具に対し係合させ、その治具を用いて支持具の取付部を設置面に対し取り付けることができる。このように支持具を設置面に取り付けることにより、設置面に沿うワイヤハーネスを設置面上に支持具によって支持して配索することができる。従って、ワイヤハーネスを設置面上に支持するための作業を容易に行うことができる。
【００１１】
上記固定部は、ワイヤハーネスを同固定部に固定するためのバンドが一体に形成されているものとすることが考えられる。
この構成によれば、ワイヤハーネスを固定部と一体に形成されたバンドを用いて同固定部に固定することができるため、部品点数を増加させることなく固定部に対するワイヤハーネスの固定を実現することができる。
【００１２】
上記取付部は、設置面に対し接着によって取り付けられるものとすることが考えられる。
この構成によれば、車両におけるバンパー等の意匠面（表面）に対し、その裏面を設置面とする場合において、上記意匠面に影響を及ぼすことなく裏面（設置面）に対し支持具の取付部を取り付けることができる。
【００１３】
上記係合部は、設置面に対し取付部が取り付けられた状態のもと、ワイヤハーネスを突出部に固定するための固定部材を取り付けることが可能となるように構成されるものとすることが考えられる。
【００１４】
この構成によれば、固定部にワイヤハーネスを固定した支持具の取付部を治具によって設置面に取り付けた後、その治具と支持具の係合部との係合を解除することにより、その係合部に対し上記ワイヤハーネスとは別のワイヤハーネスを突出部に固定するための固定部材を取り付けることが可能となる。そして、その固定部材によって上記別のワイヤハーネスを突出部に取り付けることにより、支持具によって複数のワイヤハーネスを設置面上に支持することができる。
【発明の効果】
【００１５】
本発明によれば、設置面に沿うワイヤハーネスを設置面上に支持して配索するための作業を容易に行うことができる。
【図面の簡単な説明】
【００１６】
【図１】ワイヤハーネスの支持具が取り付けられるバンパーを示す斜視図。
【図２】同支持具を拡大して示す斜視図。
【図３】同支持具を示す側面図。
【図４】同支持具を設置面に取り付ける際に用いられる治具を示す斜視図。
【図５】同支持具を設置面に取り付けた状態を示す斜視図。
【図６】同支持具の他の例を示す斜視図。
【図７】支持具及び治具の従来例を示す斜視図。
【図８】支持具の従来例を示す斜視図。
【図９】支持具の従来例を示す斜視図。
【発明を実施するための形態】
【００１７】
以下、ワイヤハーネスの支持具の一実施形態について、図１〜図５を参照して説明する。
図１は、車両におけるバンパー１を、その意匠面（表面）２と反対側の面である裏面側から見た状態を示している。なお、バンパー１においては、上記裏面がワイヤハーネス３を設置するための設置面５となっている。このワイヤハーネス３は、設置面５に沿った状態のもと、複数の支持具６によって同設置面５上に支持されている。
【００１８】
図２に示すように、支持具６は、設置面５に対し接着によって取り付けられる取付部７と、その取付部７から設置面５側とは逆の方向に突出する突出部８と、を備えている。上記取付部７は所定の距離をおいた一対の板状に形成されており、同取付部７における設置面５側の面には接着剤が塗布されている。上記突出部８は、板状に形成されているとともに、一対の取付部７における互いに近い部分の縁から設置面５側とは逆の方向に突出するよう屈曲している。この突出部８には孔９が形成されている。
【００１９】
図３に示すように、突出部８における屈曲した部分及び取付部７と繋がる部分には、肉盗み部８ａが形成されており、それら肉盗み部８ａによって突出部８が変形しやすくされるとともに同突出部８に対し取付部７が変位しやすくされている。また、図２に示すように、支持具６は、突出部８における上記孔９からずれた位置に設けられてワイヤハーネス３が固定される固定部１０も備えている。この固定部１０には、ワイヤハーネス３を同固定部１０に固定するためのバンド１１が一体に形成されている。
【００２０】
図４は、支持具６をバンパー１の裏面といった取り付けにくい設置面５に取り付ける際に用いられる治具１２を示している。この治具１２は、支持具６（突出部８）の外形に対応した凹部１３を有している。更に、凹部１３の底面には、その凹部１３に支持具６の突出部８を挿入したとき、同突出部８の孔９に挿入される突部１４が形成されている。なお、支持具６の上記孔９は、支持具６（突出部８）を治具１２の凹部１３に挿入したとき、治具１２（突部１４）と係合する係合部として機能する。
【００２１】
次に、本実施形態におけるワイヤハーネスの支持具６の作用について説明する。
バンパー１の裏面といった取り付けにくい設置面５に対する支持具６の取り付けは、次のように行われる。すなわち、ワイヤハーネス３を支持具６の突出部８に設けられた固定部１０に対しバンド１１によって固定し、その状態で突出部８を治具１２の凹部１３に挿入するとともに同突出部８における上記固定部１０からずれた位置にある孔９に対し治具１２の突部１４を挿入することにより、支持具６を治具１２と係合させる。そして、その治具１２を用いて支持具６の取付部７における設置面５側の部分を同設置面５に押し付けることにより、取付部７が接着剤で設置面５に接着されて支持具６が同設置面５に取り付けられる。その後、設置面５に取り付けられた上記支持具６から治具１２を離脱させることにより、突出部８の孔９から治具１２の突部１４を抜き出す。上述したように支持具６を設置面５に取り付けることにより、図５に示すように設置面５に沿うワイヤハーネス３を設置面５上に支持具６によって支持して配索することができる。
【００２２】
以上詳述した本実施形態によれば、以下に示す効果が得られるようになる。
（１）ワイヤハーネス３を支持具６の固定部１０に固定した状態で治具１２を用いて支持具６を設置面５に対し取り付けることができるため、設置面５に沿うワイヤハーネス３を設置面５上に支持して配索するための作業を容易に行うことができる。
【００２３】
（２）ワイヤハーネス３を固定部１０と一体に形成されたバンド１１を用いて同固定部１０に固定することができるため、部品点数を増加させることなく固定部１０に対するワイヤハーネス３の固定を実現することができる。
【００２４】
（３）支持具６の取付部７は設置面５に対し接着によって取り付けられるものであるため、バンパー１における意匠面２の裏面を設置面５とする場合において、その意匠面２に影響を及ぼすことなく設置面５に対し支持具６の取付部７を取り付けることができる。
【００２５】
（４）支持具６において、突出部８における屈曲した部分及び取付部７と繋がる部分には肉盗み部８ａが形成されており、それら肉盗み部８ａによって突出部８が変形しやすくされるとともに同突出部８に対し取付部７が変位しやすくされている。このため、治具１２を用いて支持具６を設置面５に取り付けるべく、支持具６の取付部７における設置面５側の部分を同設置面５に押し付けるとき、設置面の湾曲等に合わせて取付部７を変位させやすくなる。従って、取付部７の接着による設置面５に対する取り付けが容易になる。
【００２６】
なお、上記実施形態は、例えば以下のように変更することもできる。
・図５に示すように設置面５に取り付けられた支持具６から治具１２を離脱させた後、その支持具６における突出部８の孔９に対し、図６に示すようにワイヤハーネス３とは別のワイヤハーネス１５を突出部８に固定するための固定部材１６を取り付けるようにしてもよい。この場合、突出部８の孔９は、ワイヤハーネス１５を突出部８に固定するための固定部材１６を取り付けることが可能となるよう構成されている係合部として機能する。この構成によれば、固定部材１６によって上記別のワイヤハーネス１５を突出部８に取り付けることにより、支持具６によって複数のワイヤハーネス３，１５を設置面５上に支持することができるようになる。
【００２７】
・支持具６の取付部７は接着によって設置面５に取り付けられるものに限らず、例えば孔と突起との係合を通じて設置面５に取り付けられるものであってもよい。
・支持具６における固定部１０に対するワイヤハーネス３の固定を同固定部１０に一体形成されたバンド１１によって実現したが、例えば固定部１０とは別体となる他の部材を用いてワイヤハーネス３を固定部１０に固定するようにしてもよい。
【００２８】
・支持具６が取り付けられる設置面としてバンパー１の意匠面と反対側の面を例示したが、それ以外の設置面に支持具６を取り付けるようにしてもよい。
・肉盗み部８ａについては必ずしも設ける必要はない。
【符号の説明】
【００２９】
１…バンパー、２…意匠面、３…ワイヤハーネス、５…設置面、６…支持具、７…取付部、８…突出部、８ａ…肉盗み部、９…孔、１０…固定部、１１…バンド、１２…治具、１３…凹部、１４…突部、１５…ワイヤハーネス、１６…固定部材。
【図１】
2018102083.tif 000003
【図２】
2018102083.tif 000004
【図３】
2018102083.tif 000005
【図４】
2018102083.tif 000006
【図５】
2018102083.tif 000007
【図６】
2018102083.tif 000008
【図７】
2018102083.tif 000009
【図８】
2018102083.tif 000010
【図９】
2018102083.tif 000011